(57)【特許請求の範囲】
【請求項１】
白色系の布帛にハエ誘引剤とハエ殺虫剤とを含む混合液を含浸させて懸垂し、該布帛で前面開放部を設けて囲まれた空間の中央部にトレー状容器を配置し、ハエ誘引剤とハエ殺虫剤とを含む混合溶液を高吸収性ポリマー粉末に吸収保持させ、前期トレー状容器の底部に島状または全体に載置することを特徴とするハエ駆除方法。
【請求項２】
前記トレー状容器の上縁周囲のツバにハエ誘引剤の溶液またはハエ誘引剤とハエ殺虫剤とを含む混合溶液を塗布することを特徴とする請求項１記載のハエ駆除方法。
【請求項３】
懸垂した前記布帛の近傍に３００〜５００ｎｍの主波長を持つ誘虫灯を配置することを特徴とする請求項１又は請求項２記載のハエ駆除方法。
【請求項４】
四角形状または円筒形状等に組んだ枠体と、該枠体の上部からハエ誘引剤とハエ殺虫剤とを含む混合溶液を含浸させた白色系の布帛を懸垂し、懸垂した前記布帛で前面開放部を設けて囲まれた空間の中央部に配置したトレー状容器と、該トレー状容器底部にハエ誘引剤とハエ殺虫剤とを含む混合溶液を高吸収性ポリマー粉末に吸収保持させた粘性のある粉末状薬剤を島状或いは全体に載置したことを特徴とするハエ駆除装置。
【請求項５】
前記トレー状容器の上縁に、ハエ誘引剤を含む溶液またはハエ誘引剤とハエ殺虫剤とを含む溶液を塗布するためのツバが形成されていることを特徴とする請求項４記載のハエ駆除装置。
【請求項６】
前記枠体の上部に３００〜５００ｎｍの主波長を持つ誘引灯を設置したことを特徴とする請求項４又は請求項５記載のハエ駆除装置。
【請求項７】
前記枠体の底部にキャスターを設けたことを特徴とする請求項４〜６の何れかに記載のハエ駆除装置。
【発明の詳細な説明】
【０００１】
【発明の属する技術分野】
本発明は、大量発生したハエを駆除する方法及び装置に関するものである。
【０００２】
【従来の技術】
近年、容器包装リサイクル法が施工され、使用済の飲食品の容器包装プラスチック製品が収集回収され、リサイクルされるようになってきた。
【０００３】
リサイクルされるプラスチック製の容器や包装は多種あり、例えば、菓子やパン等の袋のラップ類、発砲トレーや卵等のパック類、醤油、ジュース等のボトル類、ミルク等のチューブ類、カップ麺やプリン等のカップ類等がある。
【０００４】
これらプラスチック製品は、消費者から分別排出され、収集し、選別の後に減容圧縮し、保管される。プラスチック製品は、石油を原料として製造された製品であるため、これら保管されたプラスチック製品は、熱分解させて化学原料として再利用することや、燃料等に使用する用途がある。
【０００５】
ところが、これら収集したプラスチック製品は飲食物の容器包装に用いられていたものであるため、飲食物が残留していて、保管場所でハエの大量発生が起こるという問題が生じた。ハエの種類としてはイエバエ、ヒメイエバエ、オオイエバエ等であるが、これらハエの大量発生は、特に、春と秋に起こることが多く、ハエ駆除が必要となっている。
【０００６】
従来のハエ駆除方法は、一般家庭では、ハエ取り紙や殺虫剤を噴霧することによって行われているが、これらの方法は大量発生するハエに対しては効果が殆ど無い。飲食店等では、安全、衛生面を配慮して合成樹脂に蒸散性殺虫剤をを含有させた殺虫プレートを吊るしておき、プレートから蒸散した薬剤によりハエを駆除することや、或いは、加熱蒸散性殺虫剤を加熱することにより薬剤を蒸散させてハエを駆除することが行われているが、これらの方法は一時的にはハエを駆除することができるが、連続して大量発生するハエの継続的駆除にはその効果がいまだ不十分である。
【０００７】
収集プラスチック製品の保管場所でのハエの駆除には、殺虫剤を散布するのが一番簡単な方法であるが、一過性のもので継続性が無く、殺虫剤散布の回数を多くしなければならない。しかし、ハエ発生場所の作業場（保管棟）には常に作業者が居り、安全、衛生面に問題がある。しかも、殺虫剤散布は何匹かの生き残りが出ると薬剤の耐性を得て、殺虫剤が効かなくなるという問題も発生する。
【０００８】
【発明が解決しようとする課題】
本発明は、上記現状に鑑み、大量発生するハエを一過性では無く、継続的に駆除することができ、安全、衛生面に優れ、また、ハエの大量発生場所へ駆除装置を簡単に移動してハエを駆除できるハエの駆除方法及び装置を提供することを解決課題とするものである。
【０００９】
【課題を解決するための手段】
本発明者は、ハエの駆除のために、ハエの習性を最大限上手く利用することに着目してハエの習性を究明し、そして、これに基づき、安全、衛生面を考慮し、大量発生するハエの駆除に効果的なハエの駆除方法及び装置に係る発明を完成した。
【００１０】
本発明の要旨は、以下の通りである。
【００１２】
（１）  白色系の布帛にハエ誘引剤とハエ殺虫剤とを含む混合液を含浸させて懸垂し、該布帛で前面開放部を設けて囲まれた空間の中央部にトレー状容器を配置し、ハエ誘引剤とハエ殺虫剤とを含む混合溶液を高吸収性ポリマー粉末に吸収保持させ、前期トレー状容器の底部に島状または全体に載置することを特徴とするハエ駆除方法。
【００１３】
（２）  前記トレー状容器の上縁周囲のツバにハエ誘引剤の溶液またはハエ誘引剤とハエ殺虫剤とを含む混合溶液を塗布することを特徴とする上記（１）記載のハエ駆除方法。
【００１４】
（３）  懸垂した前記布帛の近傍に３００〜５００ｎｍの主波長を持つ誘虫灯を配置することを特徴とする上記（１）又は（２）記載のハエ駆除方法。
【００１６】
（４）  四角形状または円筒形状等に組んだ枠体と、該枠体の上部からハエ誘引剤とハエ殺虫剤とを含む混合溶液を含浸させた白色系の布帛を懸垂し、懸垂した前記布帛で前面開放部を設けて囲まれた空間の中央部に配置したトレー状容器と、該トレー状容器底部にハエ誘引剤とハエ殺虫剤とを含む混合溶液を高吸収性ポリマー粉末に吸収保持させた粘性のある粉末状薬剤を島状或いは全体に載置したことを特徴とするハエ駆除装置。
【００１７】
（５）  前記トレー状容器の上縁に、ハエ誘引剤を含む溶液またはハエ誘引剤とハエ殺虫剤とを含む溶液を塗布するためのツバが形成されていることを特徴とする上記（４）記載のハエ駆除装置。
【００１８】
（６）  前記枠体の上部に３００〜５００ｎｍの主波長を持つ誘引灯を設置したことを特徴とする上記（４）又は（５）記載のハエ駆除装置。
【００１９】
（７）  前記枠体の底部にキャスターを設けたことを特徴とする上記（４）〜（６）の何れかに記載のハエ駆除装置。
【００２１】
【発明の実施の形態】
本発明者は、大量発生するハエの駆除のために、ハエの習性を最大限上手く利用することに着目してハエの習性を究明した。
【００２２】
ハエの習性とその習性を利用する駆除手段としては以下の通りである。
【００２３】
▲１▼  ハエは白色系の物体を好む。白色系としては、白色、青白色、黄白色等の色であれば良い。また、懸垂した物体に止まりやすく、湿気、水分を好む。したがって、ハエを集めるには、白色系の布帛、例えば木綿等の白タオルを用いて、これを懸垂させ、定期的に布帛に水を散布し湿気を確保することが必要となる。
【００２４】
▲２▼  ハエは臭いに集まる。このため、殺虫剤で誘引効果を減じない誘引剤を選択する。そして、誘引剤と殺虫剤とを混合した溶液を用いることによりハエを駆除できる。誘引剤は種々のものが知られており、例えば、フェロモン、果実のエキス、魚類の粉末、干えびの粉末等があり、これらの誘引性を任意に使用することができる。
【００２５】
殺虫剤も種々のものが知られており、例えば有機リン化合物、ピレスロイド化合物、カーバメート化合物、Ｎ−アリールジアゾール化合物、ヒドラゾン化合物、スルホンアミド化合物等がある。本発明ではこれらの殺虫剤を任意に選択して使用することができる。なお、ハエは殺虫剤の耐性を持ちやすいので、同じ殺虫剤ばかりを用いるのでは無く選択して使用すると良い。
【００２６】
▲３▼  ハエは３００〜５００ｎｍの紫外線領域の主波長を持つ灯火に集まりやすい。このため、この波長の誘虫灯を設置すれば良い。
【００２７】
▲４▼  ハエは止まりやすい場所にまず止まる。このため、止まりやすい場所を設ける。即ち、薬剤を収納したトレーの周囲上縁のツバを広く取り、薬剤液を塗布することによりハエを駆除できる。
【００２８】
▲５▼  ハエは物体に止まると直ぐ舐める。このため懸垂した布帛に誘引剤と殺虫剤との混合溶液を含浸させ、布帛の湿気を常に持続させて舐めやすくすることによりハエを駆除できる。
【００２９】
▲６▼  ハエは殺虫剤を水に溶解した薬剤溶液には、ハエは中々近づかず、トレーに薬剤溶液を収納してもハエが近づかないので殺虫効果が低い。したがって、誘引剤と殺虫剤との混合溶液を高吸収性ポリマー粉末と混合することにより粘性を確保し、これをトレー底部に島状或いは全体に置き、ハエが近づき止まりやすくする。
【００３０】
なお、高吸収性ポリマーが５０倍程度の吸収状態とするとゲル状にはならず流動性が保持できる。また、死骸のハエ駆除もポリマー粒子状態の中に死骸があるので、網ですくうことにより容易に除去することができる。
【００３１】
▲７▼  ハエの活動範囲の高さは、底面から６０〜７０ｃｍの比較的低い位置である。したがって、トレーや布帛の設置高さをこの高さに合わせることが望ましい。
【００３２】
▲８▼  ハエが集まりやすい場所は、明るい所、餌場、出入り口、窓、灯火、夏場は涼しい所等である。このため効率的にハエを駆除するには、これらのハエの集まりやすい場所にハエ駆除装置を移動させることが望ましいので、ハエ駆除装置を移動台車とする。
【００３３】
本発明は、上記に述べたハエの習性を利用してハエ駆除する方法及び装置を発明の解決手段に記載した如く構成した。
【００３４】
以下、本発明を図に基づいて具体的に説明する。
【００３５】
図１は、ハエ駆除を行う本発明の１実施例を示す図である。
【００３６】
図２は、トレーの底部に薬剤を島状に載置した例を示す図である。
【００３７】
図１に示すように、直方体形状に組んだ鉄パイプ等の枠体１の上部から、ハエ誘引剤とハエ殺虫剤との混合溶液（薬剤）を含浸させた木綿製の白色タオルを懸垂させる。なお、枠体の形状としては、四角形状や円筒形状に組んだ形状とすることができる。そして、枠体１の材料は、特に限定されるものでは無く、金属、プラスチック、木材等を用いることができるが、枠体の強度及び薬剤による耐腐食性を考慮すると、クロムメッキをした鋼材やステンレス鋼材を用いることが好ましい。
【００３８】
また、木綿製の白色タオルを白色系の布帛として用いているが、これは木綿製のタオルが薬剤の保水性、含浸性等に優れているので、本発明では木綿製の白色タオルを用いるのが好ましい。しかし、白色系の布帛であれば不織布や紙製等のものでも用いることができる。そして、白色系の布帛はクリップ等の係止具を用いて枠体に係止すれば良い。
【００３９】
薬剤としては、例えばフェロモン等の誘引剤と殺虫剤とを質量比で１：４の割合で混合した水溶液を用いることができる。
【００４０】
白色タオルに含浸させた薬剤は蒸発するので１日１回程度水を補給してタオルの湿度を保持させるとともに、３日に１回程度薬剤溶液を補給して殺虫効果を保持させることが好ましい。
【００４１】
さらに、駆除効果を増大させるために、枠体１の中間に棚３を設け、ここに薬剤を収納したトレー４を設置する。トレー４に収納する薬剤が溶液であると、ハエは危険を感じて中々近づかなく、駆除効果が得られない。このために、高吸水性ポリマー粉末に薬剤溶液を含浸させて粘性のある粉末状のままの薬剤とする。この粉末状の薬剤をトレー４の底部の全体に敷きつめるか、或いは図２に示すように、トレー４の底部にハエが近づき止まりやすくするため島状に薬剤を載置する。
【００４２】
また、図２に示すようにトレー４の上縁周囲にツバ７を設け、ハエを止まりやすくし、かつツバ７の部分に誘引剤の単独溶液または誘引剤と殺虫剤との混合溶液を塗布することにより、ハエを集まりやすくする。そして、ハエの活動高さは、底面から６０〜７０ｃｍの比較的低い位置であるから、トレーの設置高さを６０〜７０ｃｍにすることが好ましい。なお、白色タオルもこの高さを含む範囲で懸垂させることが重要である。なお、トレーの形状は、四角形、円形等の任意の形状のものを用いることができる。そして、薬剤を含浸したタオルは、装置の前面下部等の懸垂させることが可能な場所に、なるべく多く配置させることが好ましい。
【００４３】
また、装置下面にダンボール紙等の吸湿性下敷９を設け、タオルから滴下する誘引剤と殺虫剤との混合溶液を吸湿させるようにすると、殺虫効果が更に向上するとともに、滴下する混合溶液の無駄を無くすことができる。そして、必要に応じて混合用液を含浸させれば殺虫効果の向上に役立つこととなる。
【００４４】
さらに、ハエを誘引する効果を増加させるために、誘中灯５を枠体１の上部に設置する。ハエは３００〜５００ｎｍの波長範囲外の光では、ハエを集める効果が低いので本発明では３００〜５００ｎｍ、好ましくは３００〜４００ｎｍの主波長範囲とした。
【００４５】
ハエを効果的に駆除するには、ハエの集まりやすい場所にハエ駆除装置を移動して設置する必要がある。このため本発明では、ハエ駆除装置の底部にキャスター６を設けて、容易に移動可能としてある。また、誘虫灯５の電源をバッテリーとし、枠体１に取りつければ、誘虫灯の電源を外部に求める必要が無いので、ハエ駆除装置の移動を容易にすることが可能となる。
【００４６】
本発明装置を用いると以下に述べるように効果的にハエを駆除できる。
【００４７】
白色タオル等から発散される誘引剤や誘虫灯により誘引されたハエは、薬剤の含浸された白色タオルに止まると同時に白色タオルを舐める。白色タオルには、殺虫剤が含浸されているので、ハエは数分以内に装置の直下に落下して致死する。また、トレーに止まるハエは、トレー内に載置してある薬剤に止まり舐める。このハエもトレー内で致死する。トレー内にハエの死骸が多量に溜まると殺虫効果を減じるので、網でハエの死骸を掬って除去する。
【００４８】
【発明の効果】
本発明によれば、大量発生するハエを継続的に駆除することができ、安全、衛生面にも優れ、また任意のハエ発生場所でハエを駆除することができる。そして、ハエ駆除効果が優れているという顕著な作用効果を奏する。
【図面の簡単な説明】
【図１】本発明のハエ駆除の１実施例を示す図である。
【図２】トレーの底部に薬剤を島状に載置した本発明の実施例を示す図である。
【符号の説明】
１  枠体
２  白色タオル
３  棚
４  トレー
５  誘虫灯
６  キャスター
７  ツバ
８  薬剤
９  ダンボール紙等の吸湿性下敷
【図１】
0003607892.tif 000002
【図２】
0003607892.tif 000003